Podtech/llm-jp-corpus-v4-ja_patent huggingface dataset:
(57)【要約】      （修正有）【課題】便座と便器の隙間からの尿漏れを防止する防水ペーパー付き尿漏れ防止具であって、尿漏れで汚れた防水ペーパーのこまめな使い捨てや廃棄処理に係わる衛生的な不快感を解消できる尿漏れ防止具を提供する。【解決手段】防水ペーパー付き尿漏れ防止具として、弓形板本体１に凹部２，２ａ，２ｂを備え、両わき曲げ部を備えた凸部４，４ａ，４ｂを防水ペーパー３に直角に備え、前記弓形板本体に備えた凹部に前記防水ペーパーに直角に備えた凸部を前記凹部に差し込み、前記凸部の先端が前記凹部からはみだすようにした構成にしたことにより、便座と便器の隙間を防水ペーパーで覆い尿漏れを防ぐ。なお設置の使用経過で汚れた防水ペーパーは弓形板本体の凹部から引き抜くだけで簡単に取り外すことができ、また防水ペーパーのコストの安上がりと、紙の気軽さから扱いも簡単で、こまめな使い捨てや捨て場所に窮する廃棄処理に係わる衛生的な不快感を解消する。【選択図】図１
0003160605.tif 000002
【実用新案登録請求の範囲】
【請求項１】
弓形板本体に凹部を備え、両わき曲げ部を備えた凸部を防水ペーパーに直角に備え、前記弓形板本体に備えた凹部に前記防水ペーパーに直角に備えた凸部を前記凹部に差し込み、前記凸部の先端が前記凹部からはみだすようにした構成にしたことを特徴とする防水ペーパー付き尿漏れ防止具。
【考案の詳細な説明】
【技術分野】
【０００１】  本考案は、便座と便器の隙間の尿漏れを防止する防水ペーパー付き尿漏れ防止具に関するものである。
【背景技術】
【０００２】  本考案は、洋式便器の便座と便器に隙間のある便座に座って用を足すとき、その隙間からややもすると尿が外に漏れて回りが汚れる。ひどいときは、パンツやズボンを濡らしてしまうこともある。【０００３】  従来、便座と便器の隙間の尿漏れを防ぐ方法に、スポンジゴムなどを便座に取り付けて隙間に挟んだり、ビニールをカーテン状に便座から垂らして隙間を覆い尿漏れを防いでいる。それが設置使用の経過で汚れたスポンジゴムやビニールは捨て場所に窮する廃棄処理に衛生的な不快感を生じる。【０００４】  公知に係わる尿飛散防止具及びそれを備えた便座は、便座と便器本体の隙間から小便が飛散しないように便座の前部に隙間を遮るように垂れ下がる遮蔽部の尿飛散防止具を取り付け着脱可能にする構成である。尿漏れ遮蔽部の部材が耐水性に優れた塩化ビニール、ポリプロピレン、プラスチック等で、それらを清潔に保つために尿飛散防止具及びそれを備えた尿飛散防止具は便座から取りはずし、使い捨てにする利点があるというのである。
（実用新案文献１）
【先行技術文献】
【実用新案文献】
【０００５】
【実用新案文献１】
実用新案登録第３１２０７２７号
【考案の開示】
【考案が解決しょうとする課題】
【０００６】  前記公知技術において、便座に取り付けられた尿飛散防止具及びそれを備えた便座は設置の使用経過で汚れや匂いを発する。そこで、便座から尿飛散防止具を取り外して使い捨て廃棄処理をするが、尿飛散防止具を堅く取り付けた場合取り外し作業に手間取ることがあり、また捨て場所に窮する廃棄処理に衛生的な不快感を生じる。よって取り外し作業や廃棄処理に係わる衛生的な不快感を解消する解決課題を有している。
【課題を解決するための手段】
【０００７】  本考案は、前記課題を解決する具体的手段として、弓形板本体に凹部を備え、両わき曲げ部を備えた凸部を防水ペーパーに直角に備え、前記弓形板本体に備えた凹部に前記防水ペーパーに直角に備えた凸部を前記凹部に差し込み、前記凸部の先端が前記凹部からはみだすようにした構成にしたことを特徴とする防水ペーパー付き尿漏れ防止具を提供するものである。
【考案の効果】
【０００８】  本考案に係わる防水ペーパー付き尿漏れ防止具は、前記課題を解決する具体的手段として、弓形板本体に凹部を備え、両わき曲げ部を備えた凸部を防水ペーパーに直角に備え、前記弓形板本体に備えた凹部に前記防水ペーパーに直角に備えた凸部を前記凹部に差し込み、前記凸部の先端が前記凹部からはみだすようにした構成にしたことにより、便座と便器の隙間を防水ペーパーで覆い尿漏れを防ぐのであって、なお設置の使用経過で汚れた防水ペーパーは弓形板本体の凹部から引き抜くだけで簡単に取り外すことができ、また防水ペーパーのコストの安上がりと、紙の気軽さから扱いも簡単で、こまめな使い捨てや捨て場所に窮する廃棄処理に係わる衛生的な不快感を解消するのである。
【考案を実施するための形態】
【０００９】  本考案の防水ペーパー付き尿漏れ防止具の図示の実施例に基づいて説明する。図１は、アルミニューム、ステンレスの金属材やプラスチックを弓形に仕上げた弓形板本体１に凹部２、２ａ、２ｂを形成し、前記弓形板本体１の上面は接着剤で便座６に固着するため平面に形成されている。
【００１０】  前記凹部に差し込める高さに両側を下方に折り曲げた両わき曲げ部５、５ａ、５ｂを形成した凸部４、４ａ、４ｂを、厚さ０．５ミリの防水紙の防水ペーパー３と一体で裁断して前記防水ペーパー３に凸部を直角にやや直角でもよい折り曲げて形成されている。
【００１１】  そこで前記弓形板本体１に形成した凹部に、前記防水ペーパーに直角に形成した凸部を前記凹部に差し込み、前記凸部の先端が前記凹部からはみだすようにした構成にしたことにより、便座と便器の隙間の尿漏れを防止する面積の防水ペーパー３で覆い尿漏れを防ぐのである。
【００１２】  本考案の防止ペーパー付き尿漏れ防止具の使用状態は図２に示した通りである。前記弓形に仕上げた弓形板本体１の上面に接着剤を使用して凹部に蓋をするように便座６の尿漏れする前部分に固着して置き、前記弓形板本体に形成した凹部に前記防水ペーパーに直角に形成した凸部を前記凹部に差し込み、前記凸部の先端が前記凹部からはみだした先端部分を折り曲げ防水ペーパー３の抜けを防ぐのである。
【００１３】  このように防水ペーパー付き尿漏れ防止具は、便座６と便器７の隙間８を覆い尿漏れを防ぐのであって、なお設置の使用経過で汚れた防水ペーパーは弓形板本体の凹部から引き抜くだけで簡単に取り外すことができ、また防水ペーパーはコストの安上がりと、紙の気軽さから扱いも簡単で、こまめな使い捨てや廃棄処理に係わる衛生的な不快感を解消するのである。
【図面の簡単な説明】
【００１４】
【図１】  本考案に係る防水ペーパー付き尿漏れ防止具を示す斜視図である。
【図２】  防水ペーパー付き尿漏れ防止具の使用状態を示す一部切欠断面の斜視図である。
【符号の説明】
【００１５】  １  弓形板本体
２、２ａ、２ｂ  凹部
３  防水ペーパー
４、４ａ、４ｂ  凸部
５、５ａ、５ｂ  両わき曲げ部
６  便座
７  便器
８  隙間
【図１】
0003160605.tif 000003
【図２】
0003160605.tif 000004
(57)【要約】      （修正有）【課題】主に建築工事等で使用される丸型単管パイプの落下災害と、玉掛けや運搬時の荷崩れ防止の為の転がり防止単管蓋を提供する。【解決の手段】丸型単管パイプ先端から露出させた角型露出部２を四角形とする。角型露出部の一辺の長さを丸型単管パイプＰの外径と同じ長さとし、型枠のコンクリートパネルへ直接取付けて縦バタやスラブ型枠の根太に使用する。【選択図】図４
0003160607.tif 000002
【実用新案登録請求の範囲】
【請求項１】
建築工事などで使用される丸型単管パイプの接触時の怪我や挿入物の防止をするためのプラスチィック又はゴム製の蓋で、丸型単管パイプの先端から露出した部分は転がりと荷崩れ防止するため四角形とし、その一辺は丸型単管パイプの外径の長さと同一で型枠の縦バタやスラブ型枠の根太に使用出来る転がり防止単管蓋。
【考案の詳細な説明】
【技術分野】
【０００１】  本考案は、主に建設工事に使用される丸型単管パイプの災害防止とコンクリートや土砂等の侵入を防止する為の丸型単管パイプの蓋に関する。
【背景技術】
【０００２】  従来、丸型単管パイプ先端に取り付けるプラスチィック又はゴム製の蓋が考案され開示されている。（実用新案文献１・実用新案文献２参照）
【実用新案文献１】
実開平２−１３４１５６公報
【実用新案文献２】
実開平５−７８８０８公報
【考案の概要】
【考案が解決しようとする課題】
【０００３】  従来、丸型単管パイプ先端に取り付ける蓋は、接触時の怪我等の災害防止や生コンクリートや土砂等の侵入の防止と騒音対策を主な目的として考案されていた。【０００４】  しかし、上記従来の考案は丸型単管パイプの形状に合わせた円形で、丸型単管パイプが転がり、足場や建物の端部からの落下防止や荷崩れ等の対策は考えられていなかった。
（図３参照）【０００５】
【課題を解決するための手段】
【０００６】  本考案は、上記課題を解決する、以下の手段を採用する。
本考案は、丸型単管パイプ先端から一部を露出させ、その形状は一辺の長さが丸型単管パイプの外径と同じ長さの四角形とする。（図１・図２参照）
【考案の実施】
【０００７】  丸型単管パイプ（Ｐ）先端に挿入部（３）をあて角型露出部（２）をハンマー等で叩き込む。挿入部（３）が丸型単管パイプ（Ｐ）に完全に挿入されると、引抜き防止リブ（４）の素材の弾性で丸型単管パイプに固定される。
【考案の効果】
【０００８】  本考案は、上記説明したように従来の考案したものに比べ、下記に記載される効果を奏する転がり防止単管蓋。
【０００９】  本考案の転がり防止単管蓋は、露出させた部分を四角形の形状としたため、丸型単管パイプが転がって足場や建物の端部からの落下災害を防止し、角型露出部を重ね合わせる事で玉賭け作業や運搬時にも荷崩れを起こさず、四角形の１辺を丸型単管パイプの外径と同じ長さにすることによって型枠のコンクリートパネルへ直接取付けて縦バタやスラブ型枠の根太に使用することの出来る転がり防止単管蓋。（図２・図５・図６参照）
【図面の簡単な説明】
【００１０】
【図１】転がり防止単管蓋の斜視図である。
【図２】転がり防止単管蓋を丸型単管パイプに取付けた断面図である。
【図３】丸型単管パイプの斜視図である。
【図４】転がり防止単管蓋を丸型単管パイプに取付けた斜視図である。
【図５】転がり防止単管蓋を丸型単管パイプに取付けて重ねた断面図である。
【図６】転がり防止単管蓋を丸型単管パイプに取付けて玉掛けした斜視図である
【符号の説明】
【００１１】Ｐ        丸型単管パイプ
Ｙ        玉掛けワイヤー
Ｃ        コンクリートパネル
１        転がり防止単管蓋本体
２        角型露出部
３        挿入部
４        引抜き防止リブ
【図１】
0003160607.tif 000003
【図２】
0003160607.tif 000004
【図３】
0003160607.tif 000005
【図４】
0003160607.tif 000006
【図５】
0003160607.tif 000007
【図６】
0003160607.tif 000008
(57)【要約】      （修正有）【課題】１人で、安全にマンホールの蓋の開閉を行える開閉装置を提供する。【解決手段】正面より見てコの字状の支持枠に引き上げ部材が２つ支持枠の横棒に付く。引き上げ部材５は主部材６を引き上げる。主部材は円筒部９を持ち、その円筒部には、２つのＵ字状の切り欠きがある。又、その円筒部には軸１１が通り、軸には上部に２つの羽根１２がある。下部にはマンホールの蓋Ａの開口に入る長方形の挿入板１３が設けられる。挿入板をマンホールの開口に入れ、羽根がＵ字状の切り欠きに収まると、挿入板の方向が決りマンホールの蓋を持ち上げる。即ち、挿入板が開口に合った時は入り、４５度回転し、引っ掛け状態となる。これにより引き上げ部材を作業者が操作して引き上げると、円筒部が上がり、羽根に当り、更に上げると軸を上げ、マンホールの蓋は開く。【選択図】図３
0003160610.tif 000002
【実用新案登録請求の範囲】
【請求項１】
２つの基部に正面より見てコの形状の支持枠を設け、その支持枠の中央の横棒に２つの引き上げ部材を設け、引き上げ部材が主部材を引き上げ可能であり、その主部材は、円筒部を持ち、その円筒部には２つのＵ字状の切り欠きがあり、又、その円筒部には軸が通り、その軸の上部には、２つの羽根があり、その軸の下部は、長方形のマンホール溝への挿入板が設けられ、その軸の羽根がマンホールの蓋の長孔に入る、その挿入板の方向を決め、マンホールの蓋を引っ掛けることが可能なマンホールの蓋の開閉装置。
【請求項２】
円筒部に２つの羽根を収めるＵ字状の切り欠きを設け、その羽根の方向を変えることにより、マンホールの蓋の溝に入った挿入板の方向が変えられることが可能な請求項１に記載のマンホールの蓋の開閉装置。
【考案の詳細な説明】
【技術分野】
【０００１】  本考案はマンホールの蓋の開閉装置に関する。
【背景技術】
【０００２】    マンホールの蓋は２本の鉄棒やつるはしで２人の作業員により行われていた。作業員がよく怪我をした。【０００３】
【特許文献】  これに類するものは全くない。
【非特許文献】  これに類するものは余りない。
【考案の開示】
【考案が解決しようとする課題】
【０００４】  考案は１人でマンホールの開閉を行うもので、上記の欠点を解決しようとするものである。
【課題を解決するための手段】
【０００５】  本考案は２つの基部に正面より見てコの字状の支持枠を設け、その支持枠の中央の横棒に２つの引き上げ部材を設け、その引き上げ部材が主部材を引き上げ可能であり、その主部材は、円筒部を持ち、その円筒部には２つのＵ字状の切り欠きがあり、又、その円筒部には軸が通り、その軸の上部には、２つの羽根があり、その軸は、長方形のマンホール蓋への挿入板が設けられ、その軸の羽根がマンホールの蓋の長孔に入るその挿入板の方向を決め、マンホールの蓋を引っ掛けることが可能なマンホールの蓋の開閉装置であり、円筒部に２つの羽根を収めるＵ字状の切り欠きを設け、その羽根の方向を変えることにより、マンホールの蓋の溝に入った挿入板の方向が変えられることが可能なマンホールの蓋の開閉装置である。
【考案の効果】
【０００６】  ２人で行っていたマンホールの蓋の開閉を１人で行え、鉄棒やつるはしによる危険な作業だったが、これにより、安全に行えるようになる。
【考案を解決するための最良の形態】
【０００７】  正面より見てコの字状の支持枠に、２つの引き上げ部材を取り付け、その引き上げ部材は主部材の横棒を引き上げる。主部材には２つの円筒部と、その円筒部の中に入った軸があり、軸は上下する。軸には上部に羽根がついており、羽根は円筒部のＵ字状の切り欠きに収ったり、角度により収まらなかったりする。それにより、軸の下部についた挿入板がマンホールの蓋の長孔を通ったり、通らずに下から蓋を引っ掛けたりできる。
【実施例】
【０００８】  ２つの基部１に正面より見てコの字状の支持枠２が装着される。基部にはキャスター３がつき、移動可能となり、支持枠２の中央の横棒４に２つの引き上げ部材５が設けられ、主部材６を引き上げる。
主部材は、一本の横棒７とその両端に、方向決め部８が設けられる。
方向決め部８は円筒部９があり、その円筒部９の上部にＵ字状の切り欠き１０が２つある。その円筒部９には、軸１１が通り、軸１１の上部は、２つの羽根１２を設ける。
軸の下部は長方形のマンホールの溝への挿入板１３が設けられている。【０００９】  マンホールの蓋の長孔に、長方形の挿入板１３を入れ、軸をやや回転させると、軸１１の羽根が切り欠き１０に収まり、下部では挿入板１３がマンホールの蓋Ａを引っ掛け可能となる。これで羽根の角度により挿入板１３の方向が決まる。【００１０】  これを支持枠２の横棒４に吊るした引き上げ部材を手で操作することにより、主部材６を引き上げる。すると、円筒部９が引き上げられ羽根１２にぶつかり更に上げると、下部で挿入板１３がマンホールの蓋に引っ掛かりマンホールの蓋を持ち上げる。これによりマンホールは簡単に安全に開けることができる。
【図面の簡単な説明】
【００１１】
【図１】  全体を正面から見た斜視図である。
【図２】  方向決め部の斜視図である。
【図３】  主部材の斜視図である。
【符号の説明】
【００１２】１．基部
２．支持板
３．キャスター
４．横棒
５．引き上げ部材
６．主部材
７．横棒
８．方向決め部
９．円筒部
１０．切り欠き
１１．軸
１２．羽根
１３．挿入板
【図１】
0003160610.tif 000003
【図２】
0003160610.tif 000004
【図３】
0003160610.tif 000005
(57)【要約】      （修正有）【課題】不使用時にコンパクトに持ち運ぶことができる携帯用長靴を提供する。【解決手段】靴底６と甲収容部５と足首収容部と筒状の脚収容部３とを備えたレインブーツにおいて、甲収容部５と足首収容部と脚収容部３とが厚さ０．５〜１ｍｍのシリコンまたは合成樹脂製のシートにより一体的に形成され、不使用時に前記足首収容部から前記脚収容部３を靴底６に巻きつけて、巻きつけた状態で前記足首収容部から前記脚収容部３を弾力性のあるリング状のゴム７で固定するようにしたことを特徴とする。【選択図】図３
0003160604.tif 000002
【実用新案登録請求の範囲】
【請求項１】
靴底と甲収容部と足首収容部と筒状の脚収容部とを備えたレインブーツにおいて、甲収容部と足首収容部と脚収容部とが厚さ０．５〜１ｍｍのシリコンまたは合成樹脂製のシートにより一体的に形成され、不使用時に前記足首収容部から前記脚収容部を靴底に巻きつけて、巻きつけた状態で前記足首収容部から前記脚収容部を弾力性のあるリング状のゴムで固定するようにしたことを特徴とする、携帯レインブーツ。
【考案の詳細な説明】
【技術分野】
【０００１】  本考案は、長靴を小さく収納でき、用途に応じて長さを調節できる携帯用レインブーツである。
【背景技術】
【０００２】  雨の日には長靴を履き、地表で跳ね返った水滴によりズボンの裾が濡れないようにすることが多い。雨の時はゴム長靴が一般的であるが、持ち運ぶには重たく非常に嵩張る。
【考案の概要】
【考案が解決しようとする課題】
【０００３】  出かけ先や目的によって、長靴が必要であっても携帯できず子供の足が濡れたり汚れたりしてしまうことが多い。またそれを防ぐために出先で購入してしまう場合もあり、結果荷物になることも多い。本考案の目的は小さく収納することができ、用途に応じて長さを調節できる携帯用レインブーツを提供することにある。
【課題を解決するための手段】
【０００４】  本考案は、靴底と甲収容部と足首収容部と筒状の脚収容部とを備えたレインブーツにおいて、甲収容部と足首収容部と脚収容部とが厚さ０．５〜１ｍｍのシリコンまたは合成樹脂製のシートにより一体的に形成され、不使用時に前記足首収容部から前記脚収容部を靴底に巻きつけて、巻きつけた状態で前記足首収容部から前記脚収容部を弾力性のあるリング状のゴムで固定するようにしたことを特徴とする。
【考案の効果】
【０００５】  本考案の携帯用レインブーツは、雨のときに足が濡れるのを防ぐのはもちろん、小さく収納して持ち運べるので嵩張らず便利である。子供の外出先にいつでもどこでも持っていける。また、長さが調節でき用途に応じて変化できる。
【図面の簡単な説明】
【０００６】
【図１】携帯レインブーツの全体図
【図２】脚収容部を折り長さを調節したもの
【図３】携帯レインブーツを折りたたんだ図
【図４】収納バッグに折りたたんだ携帯レインブーツを収納した図
【考案を実施するための形態】
【０００７】  収納バッグから取り出し、リング状のゴムをはずす。巻きつけた脚収容部を広げ、使用する。必要に応じて脚収容部を折り曲げ、長さを調節する。使用後は、脚収容部を靴底に巻きつけ、巻きつけた状態でリング状のゴムで固定し、収容バッグに入れる。
【実施例】
【０００８】  以下、添付図面に従って実施例を説明する。
図１には本考案に係る携帯用レインブーツ１が示されている。このブーツ１は筒状の上部に開口２が形成された脚収容部３と、その下部で外側に拡がる足首収容部４と、この足首収容部拡がり方向先端に形成された甲収容部５と、地表を覆う靴底６で形成されている。【０００９】  図２は、脚収容部３を足首収容部４の方向に折り曲げることにより、用途に応じて携帯用レインブーツの長さを調節できる。【００１０】  図３は、携帯用レインブーツの折りたたみ方の図である。
▲１▼レインブーツの靴底６同士を合わせる。
▲２▼足それぞれの脚収容部３を靴底に巻きつける。
▲３▼ゴム７で全体を固定する。【００１１】  図４は、収納用のバッグについて説明する図である。
収納バッグは上部が開口されたシリコンまたは合成樹脂製でできており、収納部本体８の上部に持ち手部分９と、収納部本体８の底部に設けられるスポンジとを有している。このスポンジは使用後の雨水を吸うためのものであり、水滴を吸い込むことにより、収納バッグ内の濡れを防ぐものである。スポンジは何度も使用することができる。
【符号の説明】
【００１２】１  携帯レインブーツ
２  携帯レインブーツの開口
３  脚収容部
４  足首収容部
５  甲収容部
６  靴底
７  ゴム
８  収納バッグ
９  持ち手（取っ手）
１０  水滴取り用のスポンジ
【図１】
0003160604.tif 000003
【図２】
0003160604.tif 000004
【図３】
0003160604.tif 000005
【図４】
0003160604.tif 000006
(57)【要約】      （修正有）【課題】人体の任意の位置に、移動して使えるように工夫した空気孔付き塩温灸器を提供する。【解決手段】空気孔付き塩温灸器の陶器管１の素材は陶器で、全体の大きさが、直径が約５ｃｍ〜７ｃｍ、高さが約３ｃｍ、厚さが約５ｍｍであり、周囲に空気口２を設け、空気口２は、直径約５ｍｍの孔を５カ所設け、底部に晒布３を装着し、その中に塩４を入れ、さらにその上にもぐさ５を入れたことを特徴とする。【選択図】図３
0003160601.tif 000002
【実用新案登録請求の範囲】
【請求項１】
空気孔付き塩温灸器の陶器管（１）の素材は陶器で、全体の大きさが、直径が、約５ｃｍ〜７ｃｍ、高さが、約３ｃｍ、厚さが、約５ｍｍにし、周囲に空気口（２）を設け、前記空気口（２）は、直径約５ｍｍの孔を５カ所設け、底部に晒布（３）を装着し、その中に塩（４）を入れ、さらにその上にもぐさ（５）を入れたことを特徴とする空気孔付き塩温灸器。
【考案の詳細な説明】
【技術分野】
【０００１】  本考案は、人体の任意の位置に、移動して使えるように工夫した空気孔付き塩温灸器に関するものである。
【背景技術】
【０００２】  従来、塩温灸器は、紙の筒を用いていた。
たとえば、金属の筒を使って、人体の任意位置に移動することのできる塩温灸器が提供されている。（特許文献１参照）
【先行技術文献】
【０００３】
【特許文献１】  実開平６−４８６６５号公報
【考案の概要】
【考案が解決しようとする課題】
【０００４】  そのために、次のような問題点がある。
従来の塩温灸器は、空気口がついていないため、もぐさを小さなものにしないといけなかった。
燃焼時間が短かった。
本考案は、これらの問題点を解決されるためになされたものである。
【課題を解決するための手段】
【０００５】  空気孔付き塩温灸器の陶器管（１）の素材は陶器で、全体の大きさが、直径が、約５ｃｍ〜７ｃｍ、高さが、約３ｃｍ、厚さが、約５ｍｍにし、周囲に空気口（２）を設ける。
前記空気口（２）は、直径約５ｍｍの孔を５カ所設ける。
底部に晒布（３）を装着し、その中に塩（４）を入れ、さらにその上にもぐさ（５）を入れる。
以上のように構成された空気孔付き塩温灸器である。
【考案の効果】
【０００６】  本考案は、陶器を用いているので、温度が安定している。
人体の感触が良いと共に手軽で安価である。
さらに表面は熱くならないので、手でもって人体の任意の位置に移動することができる。
【図面の簡単な説明】
【０００７】
【図１】  本考案の陶器管の斜視図である。
【図２】  本考案の陶器管の断面図である。
【図３】  本考案の断面図である。
【考案を実施するための形態】
【０００８】  以下、本考案を実施するための形態について説明する。
空気孔付き塩温灸器の陶器管（１）の素材は陶器で、全体の大きさが、直径が、約５ｃｍ〜７ｃｍ、高さが、約３ｃｍ、厚さが、約５ｍｍにし、周囲に空気口（２）を設ける。
前記空気口（２）は、直径約５ｍｍの孔を５カ所設ける。
底部に晒布（３）を装着し、その中に塩（４）を入れ、さらにその上にもぐさ（５）を入れる。
本考案は、以上のように構成された空気孔付き塩温灸器である。
これを実際に使用するときは、もぐさ（５）を燃やすと、その熱と熱による塩の蒸気が晒布（３）の目より浸出して人体の当てた幹部に作用し、幹部の治療ができる。
【符号の説明】
【０００９】    １  陶器管
２  空気口
３  晒布
４  塩
５  もぐさ
【図１】
0003160601.tif 000003
【図２】
0003160601.tif 000004
【図３】
0003160601.tif 000005
(57)【要約】      （修正有）【課題】取付面に対する着脱が容易であり、除去したときも該取付面に傷を残すことがなく、かつ、取付面から殆ど突出することがない保持具を提供する。【解決手段】表面１ａに多数の雄部材３を備えた面ファスナー５の基体１の裏面１ｂに粘着剤層７を設けてなる。基体１は透明であり、基体１の裏面１ｂに印刷層を形成する。【選択図】図１
0003160697.tif 000002
【実用新案登録請求の範囲】
【請求項１】
基体の表面に多数の雄部材を備えた面ファスナーにおける該基体の裏面に粘着剤層を設けてなることを特徴とする保持具。
【請求項２】
前記基体は透明であり、該基体の裏面に印刷層を形成したことを特徴とする請求項１に記載の保持具。
【考案の詳細な説明】
【技術分野】
【０００１】
本考案は、保持具に関するものであり、例えば布巾、雑巾、不織布製洗い具、タオル、眼鏡拭き、ハンカチ等を保持するために使用される保持具に係るものである。
【０００２】
本出願においては、保持具により保持されるこれらのものを「被保持物」という。
【背景技術】
【０００３】
特開２００７−１６２８４１号公報は、被保持物を保持するための吊下フック（以下「従来の吊下フック」という。）を開示している。
【０００４】
この従来の吊下フックは、フック本体を釘により取付面に固定するようにしたものである。
【先行技術文献】
【特許文献】
【０００５】
【特許文献１】特開２００７−１６２８４１号公報
【考案の概要】
【考案が解決しようとする課題】
【０００６】
上記従来の吊下フックは、被保持物を保持し得るものではあるが、フック本体を釘により取付面に固定するようにしているため、取付面にフック本体を固定する作業が面倒であると共に、吊下フックを取付面から除去したときに該取付面に釘穴が残るという問題がある。
【０００７】
また、従来の吊下フックにおいては、フック本体が取付面から突出しているため、人体が該フック本体に当接して思わぬ怪我をし、或いは、人が着用している衣類ないし人が把持している物等が該フック本体に当接して破損するおそれがある。
【０００８】
本考案は、従来の吊下フックにおける上述の如き問題を解決し、取付面に対する着脱が容易であり、除去したときも該取付面に傷を残すことがなく、かつ、取付面から殆ど突出することがない保持具を提供しようとしてなされたものである。
【課題を解決するための手段】
【０００９】
上記課題を解決するために、本考案は、下記の保持具を提供する。
【００１０】
（１）基体の表面に多数の雄部材を備えた面ファスナーにおける該基体の裏面に粘着剤層を設けてなることを特徴とする保持具（請求項１）。
【００１１】
（２）前記基体は透明であり、該基体の裏面に印刷層を形成する（請求項２）。
【考案の効果】
【００１２】
［請求項１の考案］
保持具は基体の裏面に粘着剤層を設けているため、該保持具を該粘着剤層により例えば流し台、洗面所、浴室等の垂直面、或いは書斎、廊下、玄関等の壁面等の取付面に容易に固定することができる。また、該取付面からの除去も容易であり、除去後に該取付面に傷を残すことがない。
【００１３】
保持具は面ファスナーの雄部材を基体の表面に備えているため、該保持具に対する被保持物の着脱は極めて容易である。
【００１４】
保持具は、基体の表面に多数の雄部材を備えた面ファスナーにおける該基体の裏面に粘着剤層を設けてなるものであるため、取付面から殆ど突出しない。したがって、人体、或いは、人が着用している衣類ないし人が把持している物等が該保持具に当接するおそれはない。
【００１５】
［請求項２の考案］
透明な基体の裏面に印刷層を形成しているため、該印刷層は保持具の表面側から見える。したがって、保持具は外観上も極めて好ましいものである。
【図面の簡単な説明】
【００１６】
【図１】図１は、保持具の一例を取付面に固定し、該保持具に被保持物を保持させた状態を示す断面図である。
【図２】図２は、保持具の別の一例を示す断面図である。
【図３】図３は、透明な基体の裏面に印刷層を形成した保持具を示す平面図である。
【図４】図４は、透明な基体の裏面に別の印刷層を形成した保持具を示す平面図である。
【考案を実施するための形態】
【００１７】
本考案による保持具は、基体１の表面１ａに多数の雄部材３、３・・・を備えた面ファスナー５における該基体１の裏面１ｂに粘着剤層７を設けてなるものである。
【００１８】
面ファスナー５の基体１は、薄いシート状体であり、例えば円形（図３）、楕円形（図４）、正方形、長方形等、形状の如何を問わない。
【００１９】
面ファスナー５の雄部材３は、例えば突起、フック等であり、被保持物９に係合し得るものとする。
【００２０】
符号１１に示すものは、保持具を粘着剤層７により固定する取付面である。取付面１１は、前述の如く、例えば、流し台、洗面所、浴室等の垂直面、或いは書斎、廊下、玄関等の壁面等とする。
【００２１】
符号１３に示すものは、粘着剤層７の表面に取り付けられた剥離ライナーである。剥離ライナー１３は、保持具を取付面１１に固定する前に粘着剤層７から除去される。
【００２２】
図２〜図４に示す事例においては、面ファスナー５の基体１は透明であり、該基体１の裏面１ｂに印刷層１５を形成している。粘着剤層７は該印刷層１５上に設けられる。
【００２３】
この事例における基体１は、透明な合成樹脂フィルムであり、雄部材３と一体的に形成されている。
【００２４】
基体１の裏面１ｂに形成される印刷層１５は、例えばインキ層である。印刷層１５は、図形、記号、文字等を表すものであってもよく、色彩、形状等の如何を問わない。例えば、図３に示す印刷層１５は動物であるキリンの頭部を模したものであり、図４に示す印刷層１５は小鳥を模したものである。
【符号の説明】
【００２５】
１  基体
１ａ  表面
１ｂ  裏面
３  雄部材
５  面ファスナー
７  粘着剤層
９  被保持物
１１  取付面
１３  剥離ライナー
１５  印刷層
【図１】
0003160697.tif 000003
【図２】
0003160697.tif 000004
【図３】
0003160697.tif 000005
【図４】
0003160697.tif 000006
(57)【要約】 【課題】 スティック型の分包用包装体に充填された内容物を計量器を用いずに細分化し得ること。【解決手段】 無色透明か有色透明の長尺フイルム長辺方向の両端部を融着により背貼り２して筒状に形成し、短辺方向の両端部を融着３により封じて袋部４を形成した表面５に計量用の目盛り６を表示したスティック型の分包用包装体１である。開封後に内容物を複数回に分けて使う際には、表面５に表示された目盛り６を目安にして内容物を細分化することができる。【選択図】  図１
0003160696.tif 000002
【実用新案登録請求の範囲】
【請求項１】
無色透明か有色透明のラミネートフイルムまたはポリエチレンフイルム、ビニールフイルムなどで形成された包装体の表面に、計量用の目盛りを表示したことを特徴とするスティック型の分包用包装体。
【考案の詳細な説明】
【技術分野】
【０００１】
この考案は、無色透明か有色透明のラミネートフイルムまたはポリエチレンフイルム、ビニールフイルムなどの長尺フイルムで形成された包装体の表面に、計量用の目盛りを表示することに関し、その包装体に充填されている薬剤、嗜好品、調味料、その他食品などの顆粒または粉末（以下、内容物という）が計量器を用いずに細分化できるよう構成したものである。
【背景技術】
【０００２】
従来のスティック型包装体は、開封後に全量を使い切ることを想定して１回分の分量の内容物を充填している。
【０００３】
必要に応じて内容物を細分化する場合は、計量スプーンや量りなどの計量器を用いている。
【先行技術文献】
【特許文献】
【０００４】
【特許文献１】特開２００５−２７１９７４公報
【考案の開示】
【考案が解決しようとする課題】
【０００５】
従来のスティック型包装体において、開封後に内容物を細分化する際には計量器を用いなければその分量を把握することは出来ず、複数回に分けて使うことについては考慮されていなかった。
【０００６】
そこで、この考案のスティック型の分包用包装体は、充填された内容物の量を容易に計量して細分化することを目的として考えられたものである。
【課題を解決するための手段】
【０００７】
この考案のスティック型の分包用包装体１は、長尺のフイルムの長辺方向の両端部を融着により背貼り２して筒状に形成し、短辺方向の両端部を融着３により封じて袋部４を形成した表面５に計量用の目盛り６を表示したものである。
【考案の効果】
【０００８】
この考案のスティック型の分包用包装体によると、充填された内容物を細分化する際に計量器を用いず容易に計量することができる。また、その内容物を顆粒や粉末に限定することにより内容物の残った包装体を冷蔵庫などの冷暗所で保存することで内容物の劣化を心配することはないのである。
【考案を実施するための最良の形態】
【０００９】
図１に示すように、この考案のスティック型の分包用包装体１は無色透明か有色透明のラミネートフイルムまたはポリエチレンフイルム、ビニールフイルムなどの長尺フイルム長辺方向の両端部を融着により背貼り２して筒状に形成し、短辺方向の両端部を融着３により封じて袋部４を形成した表面５に計量用の目盛り６を表示したものである。
【００１０】
図１に示すように、開封後に内容物を複数回に分けて使う際には、表面５に表示された目盛り６を目安にして内容物を細分化することができる。
【００１１】
内容物を細分化したのちに、後日改めて使用する場合は開封部を折り曲げてクリップ等で締め付け冷蔵庫などの冷暗所で保存する。
【図面の簡単な説明】
【００１２】
【図１】この考案のスティック型の分包用包装体の実施形態を示す正面図（ａ）、背面図（ｂ）、側面図（ｃ）、底面図（ｄ）である。
【符号の説明】
【００１３】
１  スティック型の分包用包装体
２  融着背貼り部（長辺方向）
３  融着両端部（短辺方向）
４  袋部
５  表面
６  目盛り
【図１】
0003160696.tif 000003
(57)【要約】      （修正有）【課題】男性用下着の前部内側に布を取りつけることにより、不快感や皮膚炎を軽減させた男性用下着を提供する。【解決手段】下着の本体１の内側に布２が縫い付ける。この布２の左右のみ縫い付ける。布２を取り付ける事によって、皮膚と皮膚の接触を防ぎ、むれにくく、皮膚炎になりにくい。さらに布２を、左右、及び下の三箇所取り付けてもよい。【選択図】図１
0003160523.tif 000002
【実用新案登録請求の範囲】
【請求項１】
下着の非常口の内側に布を取り付けたことを特徴とする男性下着。
【考案の詳細な説明】
【技術分野】
【０００１】  この考案は、下着を快適に着用する事に関する。
【背景技術】
【０００２】  従来の下着には、内側に布が取り付けてあるものがなかった。
【先行技術文献】
【実用新案登録文献】
【０００３】
【非実用新案登録文献】
【０００４】
【考案の概要】
【考案が解決しようとする課題】
【０００５】  夏は特にむれて、不快感を感じ、また、皮膚炎にかかりやすかった。
そこで、この考案は、不快感や皮膚炎を軽減させる下着を提供することを課題とする。
【課題を解決するための手段】
【０００６】  以上の課題を解決するために、考案は、内側に布を取り付けることを特徴とする下着である。
【考案の効果】
【０００７】  考案によれば、布を取り付けたことにより、不快感、皮膚炎が解消された。
【図面の簡単な説明】
【０００８】
【図１】この考案の一実施形態を示す斜視図である。
【図２】従来技術を示す斜視図である。
【考案を実施するための形態】
【０００９】  この考案の一実施形態を、図１に示す。
この下着は、本体▲１▼の内側に布▲２▼が縫い付けられている。この布▲２▼の左右のみ縫い付けられている。
【００１０】「実施形態の効果」
この実施形態によれば、布▲２▼を取り付ける事によって、皮膚と皮膚の接触を防ぎ、むれにくく、皮膚炎になりにくい。
「他の実施形態」
図１の実施形態では、布▲２▼は、左右のみ取り付けてあるが、他の実施形態では、左右、及び下の三箇所取り付けたものでもよい。
【符号の説明】
【００１１】▲１▼  下着本体            ▲２▼  布
【図１】
0003160523.tif 000003
【図２】
0003160523.tif 000004
【手続補正書】
【提出日】平成22年4月1日(2010.4.1)
【手続補正１】
【補正対象書類名】実用新案登録請求の範囲
【補正対象項目名】全文
【補正方法】変更
【補正の内容】
【実用新案登録請求の範囲】
【請求項１】
下着の前側の内側に布を取り付けたことを特徴とする男性下着
(57)【要約】      （修正有）【課題】かつらなどを展示する器具を運搬しそして展示に使用する際に効率的な器具を提供する。【解決手段】可搬型かつら展示器具は、かつらなどを展示するかつら展示器具およびかつら展示器具の収納と運搬およびかつら展示器具を設置する展示台を兼用する運搬展示器具に、紙、アクリルまたはプラスティックなどの軽量の部材を使用し、運搬展示器具の形状を箱状にして、かつら展示器具の運搬時にはかつら展示器具を箱状の運搬展示器具の内部に収納することにより、展示と運搬を兼ね備えた器具とした。【選択図】図１
0003160522.tif 000002
【実用新案登録請求の範囲】
【請求項１】
かつらなどを展示するかつら展示器具およびかつら展示器具の収納と運搬およびかつら展示器具を設置する展示台を兼用する運搬展示器具を、紙、アクリルまたはプラスティックなどの軽量の部材を使用し、展示台を兼用する運搬展示器具の形状を箱状にして、かつら展示器具の運搬時にはかつら展示器具を箱状の運搬展示器具の内部に収納することにより、展示と収納および運搬を兼ね備えることを特徴とする可搬型かつら展示器具。
【考案の詳細な説明】
【技術分野】
【０００１】本考案は、かつらなどを展示する可搬型の器具に関するものである。
【背景技術】
【０００２】従来のかつらなどの展示器具には固定的な台が使用されており、地理的に広範な展示箇所に対応して展示を行うのに効率的な、かつらなどの展示器具の運搬に使用する器具の技術に関するものである。
【考案の概要】
【考案が解決しようとする課題】
【０００３】かつらなどを展示する器具を運搬しそして展示に使用する際に効率的な器具を提供すること。
【課題を解決するための手段】
【０００４】上記課題を解決するため、本考案の請求項１に記載の可搬型かつら展示器具は、かつらなどを展示するかつら展示器具およびかつら展示器具の収納と運搬およびかつら展示器具を設置する展示台を兼用する運搬展示器具に、紙、アクリルまたはプラスティックなどの軽量の部材を使用し、運搬展示器具の形状を箱状にして、かつら展示器具の運搬時にはかつら展示器具を箱状の運搬展示器具の内部に収納することにより、展示と運搬を兼ね備えた器具とした。
【考案の効果】
【０００５】本考案による可搬型かつら展示器具を使用することにより、かつらを展示しない際のかつら展示器具の収納に必要な容積を減らすことが可能となり、さらに収納した状態で運搬が可能となることにより、経済性を増加せしめた。
【図面の簡単な説明】
【０００６】
【図１】図１は、本考案による可搬型かつら展示器具の鳥瞰図である。
【図２】図２は、本考案による可搬型かつら展示器具の正面図である。
【図３】図３は、本考案による可搬型かつら展示器具の平面図である。
【実施例】
【０００７】本考案の可搬型かつら展示器具を、図面に示す具体的な実施例にもとづいて説明する。【０００８】図１から図３に示す本考案による可搬型かつら展示器具は、部材（１）が、かつらを直接展示するかつら展示器具であり、部材（２）が、かつら展示器具を置く展示台であり、部材（３）が、部材（１）および部材（２）を内部に収納する運搬展示台である。部材（１）、部材（２）および部材（３）には比較的硬い紙、プラスティックまたはアクリルなどを使用する。図１および図２はかつらを展示している状態を示している。かつら展示器具の収納または運搬時には、図１に示す部材（１Ａ）は、部材（２Ａ）の内部に収納し、部材（１Ｂ）、部材（１Ｃ）、部材（２Ａ）、部材（２Ｂ）および部材（２Ｃ）を部材（３）の内部に収納する。部材（１）および部材（２）を収納するために、部材（３）の裏面には開閉する扉部材（４）を備えている。また、可搬を容易にするために、部材（３）には部材（５）の回転器具を備えてもよい。
【符号の説明】
【０００９】１  比較的硬い紙、プラスティックまたはアクリルなどによるかつら展示器具を形成する部材
２  比較的硬い紙、プラスティックまたはアクリルなどによる展示台を形成する部材
３  比較的硬いプラスティックまたはアクリルなどによる運搬展示台を形成する部材
４  比較的硬いプラスティックまたはアクリルなどによる運搬展示台の扉を形成する部材
５  ゴムおよび金属などによる運搬展示台の回転器具を形成する部材
【図１】
0003160522.tif 000003
【図２】
0003160522.tif 000004
【図３】
0003160522.tif 000005
【手続補正書】
【提出日】平成22年4月5日(2010.4.5)
【手続補正１】
【補正対象書類名】実用新案登録請求の範囲
【補正対象項目名】全文
【補正方法】変更
【補正の内容】
【実用新案登録請求の範囲】
【請求項１】
かつらを展示するかつら展示器具およびかつら展示器具の収納と運搬およびかつら展示器具を設置する展示台を兼用する運搬展示器具に、紙、アクリルまたはプラスティックを使用し、展示台を兼用する運搬展示器具の形状を箱状にして、かつら展示器具の運搬時にはかつら展示器具を箱状の運搬展示器具の内部に収納することにより、展示と収納および運搬を兼ね備えることを特徴とする可搬型かつら展示器具。
(57)【要約】      （修正有）【課題】年配者や障害者が使用するステッキが倒れたとき、うつむいてステッキを拾い上げることが出来ない人のために、うつむかなくても拾えるステッキを提供する。【解決手段】ステッキのグリップ部分に握りしめたとき邪魔にならない位置と倒れた時に、ステッキを起こすための動作で回転しやすい構図としてリングＡの接地面とグリップエンドＦ２を支点として回転運動をさせるために力を加えるポイントＷが三角形の頂点になるようリングを固定した。またグリップ部分はゴム系素材を使用して回転の為の支店の摩擦係数を大きくして支点が滑らないようにした。このように作られたステッキが倒れたときステッキをうつむいて拾わなくても、グリップの部分を軽く足先で押さえながら回転させると、ステッキの先端部分が手元にくるので簡単に取り上げることができる。【選択図】図１
0003160526.tif 000002
【実用新案登録請求の範囲】
【請求項１】
ステッキのＴ字型グリップの先端からグリップ部分の根元にかけてシャフトに対して斜めに丸いリング状の輪をグリップしたとき邪魔にならない位置に固定したもの。
【請求項２】
リングを装着したステッキが倒れたときグリップの先端部分にリングが付いているために地面より浮き上がります。この浮き上がったグリップの上部を軽く押さえながらまわすことによりリング状の一部とグリップエンド上面を支点として回転します。従って倒れた杖の先の部分が立ち上がってきますので屈まなくてもステッキを拾うことが出来る構造。
【考案の詳細な説明】
【技術分野】
【０００１】本考案は、ステッキに関する
【技術背景】
【０００２】従来のステッキ（杖）は倒れたとき屈み込んで拾わなくてはいけなかった。しかし老いてきたり、怪我をして病院に行った時、杖が倒れ拾い上げるために「かがむ」動作が困難なときがありました。特に腰を痛めたときはかがむことが出来ず困りました。
この様に困っている人を目にすることがあり、かがまなくても拾えるステッキを考えました。
【考案の開示】
【考案が解決しようとする課題】
【０００３】ステッキが倒れたとき、かがまなくても足先を使うことによりグリップ部分を回転させて倒れたステッキの先端を手元にもってきて拾える機能を持ったステッキ。
【課題を解決するための手段】
【０００４】起き上がるステッキの作り方と特徴【０００５】図１のようにステッキの柄の部分に丸いリング状の部品（Ａ）をシャフトの中心部（Ｂ）からグリップの先端（Ｃ）に斜めに固定したもの。
なおグリップの先端（Ｃ）の部分に位置するリング部分は水平にできています。
またグリップの上部分（Ｃ）から（Ｆ２）のラインはステッキのにシャフト（Ｄ）に対して９０度プラスαのの角度でＴ形にグリップをつける構造になっています。
グリップの表面は滑りにくいゴム素材で加工してあります。
また、この杖は非常に弱い力でも回転するようにするためにシャフト（Ｄ）の部分はカーボン素材できわめて軽量に出来ている。
【起き上がる杖の構造】
【０００６】図２の（図１）はリングを現したものです。（図ＩＩ）は倒れたステッキ（杖）を横から見た図です。このステッキの（Ｗ）の部分に足の先端で軽く力をかけると（Ｆ１）（Ｆ２）を支点にして（図ＩＩ）の位置から（図ＩＩＩ）の位置に回転してステッキの先端（Ｅ）が起き上がってきます。
【０００７】図３はステッキの先端（Ｅ）が起き上がってくる様子を図にしたものです。リング上の支点は回転することにより移動してい行きます。
そして９０度回ってステッキの先端は止まります。これはリングの接地面が平らに仕上げてあるために真直ぐ立って止まります。すなわち手元で先端は止まります。
こうすることにより簡単に倒れたステッキをかがまなくても拾うことができるのです。
【考案の効果】
【０００８】年配者や傷害者など杖（ッステッキ）を必要とする不自由な人たちの杖が倒れたときに屈まなくても簡単に拾い上げることの出来るように考案しました。
【０００９】介護センターなどで倒れた杖を拾い上げる動作そのものが楽しいゲーム感覚となり、足先の運動やバランス感覚を養うなどリハビリー効果も生み出している。
【考案を実施するための最良の形態】
【００１０】図１に示すとうりグリップ先端からグリップの付根に固定されたリングがあります。
これはグリップした時リングが邪魔にならず安全にグリップできるように工夫された位置とグリップが回転運動するための三角関係を作るためです。【００１１】倒れたときはリングが地面に接した部分（Ｆ１）とグリップエンド（Ｆ２）を結んだラインが回転軸となりグリップ中間の（Ｗ）が（Ｆ１）（Ｆ２）の三角形の頂点となります。
そこで倒れたつ柄の（Ｗ）部分に軽く力を加えると（Ｆ１）と（Ｆ２）を支点として回転して手元に杖の先端がきてとまります。
手元で止まるのはリングの先端部分が一部平らに加工してあるからです。【００１２】グリップに差込まれた杖の棒はグリップの先端からグリップエンドにかけての上部ラインに対して９０度＋αにセットされています。これは回転したとき手元の横に先端が来るようにセットしています。９０度だと回転したとき先端が本人の体に当たる位置にきます。これを防ぐためにプラスαにセットしてあります。
【産業上の利用分野】
【００１１】本考案の杖（ステッキ）は年配者や体の不自由な方が手軽に・楽しく扱えるステッキとして多くの方に供給できるものである。
【図面の簡単な説明】
【００１２】
【図１】本考案実施例のステッキの説明外観図
【図２】本考案実施例のリングの外観図とステッキが回転する説明図
【図３】本考案実施例のステッキを倒れた状態から足先で回転させる説明図
【符号の説明】
【００１３】    Ａ          回転させるためのリング
Ｂ、Ｃ      リングの固定箇所
Ｄ          杖（ステッキ）の棒の部分
Ｅ          杖（ステッキ）の先端のゴム
Ｆ１、Ｆ２  倒れた杖を起こすときの支点となる箇所
Ｗ          回転運動さすために力を加えるポイント
【図１】
0003160526.tif 000003
【図２】
0003160526.tif 000004
【図３】
0003160526.tif 000005
【手続補正書】
【提出日】平成22年4月13日(2010.4.13)
【手続補正２】
【補正対象書類名】実用新案登録請求の範囲
【補正対象項目名】全文
【補正方法】変更
【補正の内容】
【実用新案登録請求の範囲】
【請求項１】
ステッキのＴ字型をしたグリップの先端からグリップ部分の根元部分にステッキの棒に対して斜めに丸いリング状の輪を固定したステッキ。
(57)【要約】      （修正有）【課題】移動機関（車両、鉄道、船舶、航空機等）の動力源として、無公害、無充電の風力発電装置を提供する。【解決手段】自走中の風圧を利用し複数のファンを回し、直結した発電機で発電し、搭載している蓄電池に蓄電し、その電気を動力として動く乗り物を構成する。【選択図】図１
0003160529.tif 000002
【実用新案登録請求の範囲】
【請求項１】
自走中の風圧を利用し複数のファンを回し、直結した発電機で発電し、搭載している蓄電池に蓄電し、その電気を動力として動く乗り物全て
【考案の詳細な説明】
【技術分野】
【０００１】本考案は、移動機関動力（車両、鉄道、船舶、航空機等）の無公害、無充電の風力発電装置である。
【背景技術】
【０００２】現行のハイブリット車、電気自動車の充電の不便性、また、化石燃料使用での現在の車両等の地球環境悪化の軽減に貢献したい為。
【先行技術分権】
特にありません
【考案の概要】
【０００３】某日の自動車ショーのテレビ放送で、電気自動車の充電を、風力発電気を使って発電しているのを見、現行自動車のフロント部分に直接風車を付け、走行時の風圧で、ファンを回し発電したら、と思い付いた。
【考案が解決しようとする課題】
【０００４】化石燃料使用機関の排気ガスの低減、新機関開発費、機関製作費、設置費の低減、簡素化、販売価格の低価格化、メンテナンスの簡素化等が望める。
また、構造が単純なので故障も少なく低コストで軽量化も図れる。
【課題を解決する為の手段】
【０００５】本考案は、機関の移動中の風圧で発電をする為、機関移動中、騒音、排気ガスは出ないので環境に負担を掛けることは無い。
【考案の効果】
【０００６】本考案が解決しようとする課題に（０００４）同じ、車両等の場合は、軽量化、メンテナンスの簡素化、デザインの多様化にも貢献出来る。
【図面の簡単な説明】
【０００７】
【図１】は風圧発電気上部からの図である。機関のフロント部分に設置し、走行時の風圧を利用しファンを回す。  Ａ  大型風受けファン（通常走行、高速走行時用のファン）１基  Ｂ  低速時用風受けファン（低速時用）  ２基  Ｃ  風受けファンカバー  Ｄ  大型ファン用の発電機（ギァを使用し発電効率を上げる）  Ｅ  低速時用小型発電機（ファン軸に直結型、又は、機関の大きさに依り、ギァ併用も可）  Ｆ  ３基の発電機から電気を受ける蓄電器  Ｇ  動力モータ、ライト、ワイパー、エァコン等の消費電力取り出し用。
【図２】は車体搭載時、車前方より見た三角型配置の透し図です。フロントグリル内に三基のファンを設置した図です。搭載する対象物の大きさにより、ファンの設置数を増やしたり、ファンの大型化により大型の対象物にも設置が可能。
【図１】
0003160529.tif 000003
【図２】
0003160529.tif 000004
【手続補正書】
【提出日】平成22年4月12日(2010.4.12)
【手続補正１】
【補正対象書類名】実用新案登録請求の範囲
【補正対象項目名】全文
【補正方法】変更
【補正の内容】
【実用新案登録請求の範囲】
【請求項１】
自走中の風圧を利用し複数のファンを回し、直結した発電機で発電し、搭載している蓄電池に蓄電し、その電気を動力として動く乗り物。